(57)【特許請求の範囲】
【請求項１】
底片と側片とによって略コ字状に形成したバケットをロータに揺動自在に支持させ、前記バケットにラックを装填するとともに、該ラックにチューブを収容し、前記ロータを回転させることによって遠心動作を行う遠心分離機のバケットにおいて、前記バケットの底片に敷板を添設するとともに、前記バケットの底片と側片との会合部を円弧状に形成し、かつ前記敷板の端部下面を前記バケットの会合部に倣って円弧状に形成したことを特徴とする遠心分離機のバケット。
【発明の詳細な説明】
【０００１】
【産業上の利用分野】
本発明は、バケットをロータに揺動自在に支持させ、該バケットにチューブを収容したラックを装填して遠心分離作業を行なう遠心分離機のバケットに関するものである。
【０００２】
【従来の技術】
遠心分離機には、図８に示したように、バケット５０の揺動軸５１を遠心分離機本体６０のロータ６１の軸受部６２に揺動自在に支持させ、バケット５０にラック５２を装填するとともに、該ラック５２にチューブ５３を収容して遠心動作を行うものがある。
【０００３】
バケット５０は、図９に示したように、コ字状に形成した両側片５０ａ，５０ａに揺動軸５１を差し渡し装架したもので、このバケット５０にラック５２を装填するとともに、ラック５２の孔５２ａに複数本のチューブを収容する。
【０００４】
【発明が解決しようとする課題】
ところで、バケット５０の底片５０ｂの強度が十分でないと、ロータ６１を回転した際に、バケット５０の底片５０ｂにかかる遠心力によって、バケット５０の底片５０ｂが下方へ湾曲する虞れがある。このようにバケット５０の底片５０ｂが繰り返し湾曲されると、その都度側片５０ａが揺動軸５１を中心にして内外方向へ繰り返し変形され、長期にわたってはバケット５０の耐久性の低下を来す。それを解消するためには、バケット５０の素材の厚みを増加すればよいが、するとバケット５０の質量を必要以上に増大させるばかりでなく、コスト高を招来する。
【０００５】
また、バケット５０の強度を増大するために、バケット５０の端部に端壁５０ｃ，５０ｃを設置した場合には、ラック５２をバケット５０に装填する際に、図９に示したように、ラック５２を斜めにしてバケット５０に挿入させなければならなくなり、その作業も煩雑になる。
【０００６】
そこで、本発明の目的は、質量を必要最小限の増加にとどめて十分な強度を有する遠心分離機のバケットを提供することにある。
【０００７】
【課題を解決するための手段】
本発明の遠心分離機のバケットは、底片と側片とによって略コ字状に形成したバケットをロータに揺動自在に支持させ、前記バケットにラックを装填するとともに、該ラックにチューブを収容し、前記ロータを回転させることによって遠心動作を行う遠心分離機で使用されるバケットであって、前記バケットの底片に敷板を添設するとともに、前記バケットの底片と側片との会合部を円弧状に形成し、かつ前記敷板の端部下面を前記バケットの会合部に倣って円弧状に形成している。
【０００８】
本発明の遠心分離機のバケットによれば、ラックに生じる遠心力は、敷板によって受け止められて、バケットの底片の変形が防止される。
【０００９】
【発明の実施の形態】
本発明の対象とする遠心分離機のバケットは、略コ字状に形成されたバケットをロータに揺動自在に支持させ、該バケットにチューブを収容したラックを装填して遠心分離作業を行なう遠心分離機のバケットである。
【００１０】
そして、本発明のバケットは底片に敷板が添設されている。敷板は剛性に富み、かつ錆び難く、さらには耐薬品性が高いものが好ましい。例えば、ステンレス，アルミニュウム，その他の金属，合成樹脂等が使用できる。敷板はネジ，接着剤，溶接等によってバッケットの底片に固定される。
【００１１】
また、本発明のバケットは、該バケットの底片と側片との会合部を円弧状に形成し、かつ敷板の端部下面をその円弧に添って円弧状に形成したので、バケットの会合部での応力集中が避けられる。
【００１２】
【実施例】
図１は本発明に係る遠心分離機のロータ１０とバケット２０を示している。ロータ１０は中央に孔１１を有し、該孔１１を遠心分離機本体１の軸２に嵌合係止させることによって遠心分離機本体１に保持される。このロータ１０は周方向４方へ張り出したアーム１２を備えている。それらのアーム１２の先端には斜め内側上方に開口を有する軸受部１３が形成されている。
【００１３】
バケット２０は、図２に示したようにコ字状をなし、その側片２１，２１と底片２２の会合部２３，２３は湾曲形成されている。図３に示したように、このバケット２０の側片２１，２１の自由端部には孔２４，２４が形成され、それらの孔２４には軸２５が装架され、該軸２５の両端部２５ａは側片２１の外部に延設されている。また、軸２５における側片２１，２１間の部分にはスリーブ２６が嵌合され、該スリーブ２６は側片２１，２１間の間隔を確保している。そして、該スリーブ２６と軸２５とはノックピン２７によって一体に結合されている。
【００１４】
また、このバケット２０の底片２２には、厚みをもった敷板２８が載置され、皿ねじ２９によって底片２２に固定されている。敷板２８はアルミニュウム等の剛性に富み、かつ錆難くかつ軽量な材料によって形成されている。そして、敷板２８の両側端下面２８ａは底片２２の上記会合部２３に倣って円弧に形成されている。そして、このバケット２０は、軸２５の両端部２５ａを上記ロータ１０の軸受部１３にその開口から嵌入させてロータ１０に揺動自在に保持される。
【００１５】
一方、この遠心分離機のラック３０は、図４に示したように、下方に開口した溝３１を有している。この溝３１は上記スリーブ２６の径よりも僅かに大きい間隙を有し、上端３１ａは上記スリーブ２６に倣った曲率半径を有している。そして、この溝３１によって画成された脚部３２，３２には、上方に開口する複数のチューブ収容孔３３が形成されている。
【００１６】
このように構成された遠心分離機では、図５に示したように、ラック３０の収容孔３３にチューブ４０が装填され、その状態でラック３０の溝３１をバケット２０のスリーブ２６に嵌合させて、図６に示したように、ラック３０をバケット２０に支持させる。この状態では、図７に示したように、ラック３０はその底面３０ａがバケット２０の敷板２６上に着座された状態にある。
【００１７】
そして、ロータ１０が回転されると、その遠心力によってバケット２０と一体にラック３０の底部が外方へ振り出される。その際、ラック３０はその底面３０ａがバケット２０の敷板２８に当接し、かつ溝３１がスリーブ２６に嵌合していることによってバケット２０との一体化が図られる。そして、ロータ１０の回転によってラック３０に生じる遠心力は、敷板２８によって受け止められる。したがって、バケット２０の底片２２は変形することなく、仮に側片２１，２１にその内方へ向けての力が働いたとしても、敷板２８によって変形が防止される。
【００１８】
このようにして、遠心分離作業が完了すると、チューブ４０ごとラック３０がバケット２０から取り出される。
【００１９】
【発明の効果】
上記したように、本発明に係る遠心分離機のバケットによれば、バケットの底片に敷板を添設するだけで、ラックに生じる遠心力によるバケットの底片の変形が防止され、また、遠心力によって側片にその内方へ向けての力が働いたとしても、敷板によって変形が防止される。即ち、本発明に係るバケットは、全体的に肉厚の厚い材料を使用してバケットを形成する必要はない。したがって、バケットの質量を軽減することができ、かつ加工が容易になって、コストダウンが図れる。また、変形が防止されるので耐久性も向上する。
【図面の簡単な説明】
【図１】本発明に係る遠心分離機のロータおよびバケットを示した斜視図である。
【図２】図１に示したバケットの斜視図である。
【図３】図１に示したバケットの断面図である。
【図４】図１に示したラックの斜視図である。
【図５】図４に示したラックにチューブを収容した状態の斜視図である。
【図６】図５に示したラックを遠心分離機のロータに装填した状態を示した斜視図である。
【図７】図５に示したラックをバケットに装填した状態を示した断面図である。
【図８】従来のバケットを保持した遠心分離機を示した斜視図である。
【図９】図８のバケットと該バケットに装填されるラックを示した斜視図である。
【符号の説明】
１        遠心分離機本体
２        回転軸
１０      ロータ
１１      孔
１２      アーム
１３      軸受部
２０      バケット
２１      側片
２２      底片
２３      会合部
２４      孔
２５      軸
２５ａ    端部
２６      スリーブ
２７      ノックピン
２８      敷板
２９      皿ねじ
３０      ラック
３０ａ    底面
３１      溝
３１ａ    端部
３２      脚部
３３      チューブ収容孔
４０      チューブ
【図１】
0003865003.tif 000002
【図２】
0003865003.tif 000003
【図３】
0003865003.tif 000004
【図４】
0003865003.tif 000005
【図５】
0003865003.tif 000006
【図６】
0003865003.tif 000007
【図７】
0003865003.tif 000008
【図８】
0003865003.tif 000009
【図９】
0003865003.tif 000010